(57)【要約】【課題】ユーザーが従来のアナログテレビとリモコンをいままでの使い勝手と変わらずに利用して、デジタル放送を視聴できるＲＦ変換装置、ＲＦ変換方法を提供する。また、ユーザーの設定操作を簡易にすることができるＲＦ変換装置、ＲＦ変換方法を提供する。【解決手段】  アナログテレビ１０３用のＡリモコン１０４からのリモコン信号を受信し、受信したリモコン信号を解析し、リモコン信号に含まれるリモコンチャンネル信号に該当するアナログ放送の物理チャンネル番号を選択するとともにアナログ放送の物理チャンネル番号を設定し、選択したアナログ放送の物理チャンネル番号に対応するデジタル放送の物理チャンネル番号を選択し、選択したデジタル放送の物理チャンネル番号を選局して受信したデジタル放送を、設定された前記アナログ放送の物理チャンネル番号に対応した周波数のＲＦ信号に変換して出力する。【選択図】図２
2010114707.tif 000002
【特許請求の範囲】
【請求項１】
アナログ放送の物理チャンネルとデジタル放送の物理チャンネルとを対応付ける物理チャンネル対応付け手段と、
地域ごとのアナログ放送の物理チャンネルを記憶しておくアナログ地域コード記憶手段と、
デジタル放送を受信するデジタル放送受信手段と、
前記放送受信手段により受信したデジタル放送を復号する復号手段と、
前記復号手段により復号された映像信号及び音声信号をアナログ放送形式の映像信号及び音声信号に変換する信号変換手段と、
前記信号変換手段により変換されたアナログ放送形式の映像及び音声信号をアナログ放送の物理チャンネルに対応した周波数のアナログＲＦ信号に変換して出力するＲＦ出力手段と、
を備えるＲＦ変換装置。
【請求項２】
アナログテレビ用のリモコンからのリモコン信号を受信するリモコン受信手段と、
前記リモコン受信手段により受信したリモコン信号を解析するリモコンコード解析手段と、
を備え、
前記アナログ地域コード記憶手段は、前記リモコン信号に含まれるリモコンチャンネル信号に該当するアナログ放送の物理チャンネル番号を選択するとともに前記アナログ放送の物理チャンネル番号を前記ＲＦ出力手段に設定し、
前記物理チャンネル対応付け手段は、前記アナログ地域コード記憶手段が選択したアナログ放送の物理チャンネル番号に対応するデジタル放送の物理チャンネル番号を選択し、
前記デジタル放送受信手段は、前記物理チャンネル対応付け手段が選択したデジタル放送の物理チャンネル番号を選局し、
前記ＲＦ出力手段は、前記デジタル放送受信手段が選局して受信したデジタル放送を、前記アナログ地域コード記憶手段により設定された前記アナログ放送の物理チャンネル番号に対応した周波数のＲＦ信号を出力すること、
を特徴とする請求項１に記載のＲＦ変換装置。
【請求項３】
複数種類のアナログテレビのリモコンコードを記憶しているリモコンコード記憶手段を備え、
前記リモコンコード解析手段は、前記リモコンコード記憶手段に記憶しているリモコンコードを用いる事により、複数種類のアナログテレビのリモコン信号に対応すること、
を特徴とする請求項２に記載のＲＦ変換装置。
【請求項４】
前記リモコン信号に含まれるリモコンチャンネル信号とアナログ放送の物理チャンネル番号との対応付けを、アナログ放送を優先して行うのかデジタル放送を優先して行うのかを切り換える優先設定手段を備えること、
を特徴とする請求項２又は請求項３に記載のＲＦ変換装置。
【請求項５】
前記リモコン信号に含まれるリモコンチャンネル信号とアナログ放送の物理チャンネル番号との対応付けを、ユーザーによる指示にしたがい変更するカスタム設定手段を備えること、
を特徴とする請求項２又は請求項３に記載のＲＦ変換装置。
【請求項６】
アナログ放送の物理チャンネルとデジタル放送の物理チャンネルとを対応付け、
地域ごとのアナログ放送の物理チャンネルを記憶しておき、
デジタル放送を受信し、
受信したデジタル放送を復号し、
復号された映像信号及び音声信号をアナログ放送形式の映像信号及び音声信号に変換し、
変換されたアナログ放送形式の映像及び音声信号をアナログ放送の物理チャンネルに対応した周波数のアナログＲＦ信号に変換して出力すること、
を特徴とするＲＦ変換方法。
【請求項７】
アナログテレビ用のリモコンからのリモコン信号を受信し、
受信したリモコン信号を解析し、
前記リモコン信号に含まれるリモコンチャンネル信号に該当するアナログ放送の物理チャンネル番号を選択するとともに前記アナログ放送の物理チャンネル番号を設定し、
選択したアナログ放送の物理チャンネル番号に対応するデジタル放送の物理チャンネル番号を選択し、
選択したデジタル放送の物理チャンネル番号を選局して受信したデジタル放送を、設定された前記アナログ放送の物理チャンネル番号に対応した周波数のＲＦ信号に変換して出力すること、
を特徴とする請求項６に記載のＲＦ変換方法。
【発明の詳細な説明】
【技術分野】
【０００１】
本発明は、デジタルテレビジョン放送を受信してアナログ放送と同等な信号に変換するＲＦ変換装置、ＲＦ変換方法に関するものである。
【背景技術】
【０００２】
テレビジョン放送（以下、テレビ放送）は、世界的にアナログからデジタルに移行しつつある。日本では２００３年１２月から地上デジタル放送が始まっており、現在、アナログとデジタルでサイマルキャスト放送が行われている。サイマルキャスト放送とは、ひとつの放送局が同じ番組を異なる放送波で同時に放送を行うことである。
【０００３】
地上波放送のチャンネルは、９０ＭＨｚから７７０ＭＨｚまでの周波数帯域を６ＭＨｚごとに分割し、その分割帯域をそれぞれ１チャンネルとしている。
アナログ放送は、ＮＴＳＣ（National Television Standards Committee）方式で、映像信号と音声信号がそれぞれ変調されて伝送されている。１チャンネル当り６ＭＨｚの伝送帯域で標準テレビ１番組のサービスが行われている。
一方、地上デジタル放送は、ＯＦＤＭ（Orthogonal Frequency Division Multiplexing）変調された信号が伝送されている。１チャンネル当り６ＭＨｚの伝送帯域でハイビジョン（ＨＤ：High Definition）１番組又は標準テレビ（ＳＤ：Standard
Definition）３番組、及びデータ放送の同時サービスが行われている。
【０００４】
１から１２チャンネルは、ＶＨＦ（Very High Frequency）帯域と呼ばれ、地上アナログ放送に使われている。
１３から６２チャンネルは、ＵＨＦ（Ultra High Frequency）帯域と呼ばれ、地上アナログ放送と地上デジタル放送が混在している。異なる放送波が干渉しないようにサイマルキャスト放送であっても異なるチャンネルが割り当てられている。
地上アナログ放送は、ＶＨＦ帯域で放送開始されたが、その後、電波状況の悪い地域には中継局が設けられ、ＵＨＦ帯域に変換されて再送出されている。
したがって、同じ番組でも地域によって異なるチャンネルで放送されている。
【０００５】
一方、テレビ放送受信機（以下、テレビ）のリモコンのチャンネルキーは、１から１２が用いられている事が一般的である。これは、ＶＨＦのチャンネルに合わせたことと、キー入力をし易くするためである。
よって、ＵＨＦで受信する場合は、地域コードを備えたテレビが、リモコンのチャンネルキーから入力される１から１２のチャンネルをＵＨＦのチャンネルに置き換えて、リモコンでのチャンネル切り換えを行いやすくすることが一般に行われている。
このときのリモコンのチャンネルキーから入力されるチャンネルをリモコンチャンネル、実際に受信するＵＨＦのチャンネルを物理チャンネル、と呼んでいる。
地上デジタル放送もＵＨＦ帯域で伝送されるので、リモコンチャンネルを物理チャンネルに変換する処理がテレビ内で行われている。
【０００６】
日本では、２０１１年７月にアナログ放送終了が予定されている。アナログ放送が終了すると１から１２チャンネル、及び５３から６２のチャンネルが空きチャンネルとなり、テレビ放送以外の目的で利用することが検討されている。
しかし、アナログ放送が終了すると、未だ多くのユーザーが使用しているアナログテレビでテレビ放送を受信できなくなってしまう。その場合、ユーザーはデジタルテレビへの買い替えを強いられる。アナログテレビに比べデジタルテレビは高価であるため、全てのユーザーがデジタルテレビへ買い替えることは困難である。
また、各家庭に複数台あるアナログテレビを全て、デジタルテレビへ買い替えることはさらに困難である。
さらに、資源の有効活用という観点から、壊れていないアナログテレビを廃棄することへの抵抗感もある。
【０００７】
そこで、アナログテレビを有効活用できるように、デジタル放送をＤ端子やＲＣＡ端子のアナログビデオ信号に変換して出力するデジタルチューナ装置が市販されている。
しかし、このようなデジタルチューナ装置をアナログテレビに接続してテレビ視聴を行うとき、アナログテレビに対しては、従来のチャンネル切り換えでは無く、入力切り換えを行う必要がある。すなわち、アナログテレビに対しては、Ｄ端子又はＲＣＡ端子での入力となるため、アナログテレビの設定を外部入力に切り換えなければならない。
【０００８】
また、チャンネル切り換えを行う場合は、デジタルチューナ装置のリモコンを用いて、デジタルチューナ装置に対してチャンネル切り換え操作を行わなければならない。
このため、従来のアナログテレビと同様の操作ができず、操作が分かり難いという問題があった。
さらに、アナログテレビ用のリモコンとデジタルチューナ装置用のリモコンの両方を用意しておく必要があったので、リモコンの取り違えによる誤操作を起こし易いという問題があった。
【０００９】
そこで、デジタルチューナ装置とアナログテレビの間に配置され、デジタルチューナ装置から出力されるアナログビデオ信号をアナログＲＦ（Radio Frequency）信号に変換するＲＦ変換装置が提案されている（例えば、特許文献１）。
特許文献１によるＲＦ変換装置では、無線式のリモコンを備え、受信した無線リモコン信号をデジタルチューナ装置用の赤外線信号に変換して出力することにより、デジタルチューナ装置のチャンネル切り換え操作を実現している。
【００１０】
また、アナログテレビの前段（アンテナ側）に配置され、デジタル放送とアナログ放送が混在するＲＦ信号を受信し、アナログＲＦ信号に変換して出力するＲＦ変換装置が開示されている（例えば、特許文献２）。
特許文献２によるＲＦ変換装置では、選局されたチャンネル帯域のＲＦ信号がデジタル放送であった場合は、アナログＲＦ信号に変換して、同じチャンネル周波数帯域に出力することにより、デジタル放送をアナログテレビで見ることが可能となる。
【特許文献１】特開２００７−１７４３５６号公報
【特許文献２】特開２００３−２２４７８０号公報
【発明の開示】
【発明が解決しようとする課題】
【００１１】
しかし、特許文献１では、当該ＲＦ変換装置の前段であるデジタルチューナ装置に対する操作は配慮されているが、後段のアナログテレビに対する操作は配慮されていない。すなわち、当該ＲＦ変換装置の出力のアナログＲＦ信号は、固定のチャンネルに出力されることが想定されている。よって、当該ＲＦ変換装置を利用するためには、予めアナログテレビのチャンネルを当該ＲＦ変換装置が設定した固定チャンネルに合わせる必要がある。したがって前述の、操作がわかりにくくなる、及び、誤操作を起こし易い、という問題を充分に解決していなかった。
【００１２】
また、特許文献２では、上述したようにデジタル放送が伝送されているチャンネルをアナログ波に置き換える手法が開示されている。前述のようにデジタル放送とアナログ放送は異なる物理チャンネルで放送されているので、特許文献２に記載の方式でデジタルからアナログに変換されたチャンネルを視聴するためには、ユーザーがアナログテレビの設定を行う必要があった。詳細には、アナログテレビにはアナログ放送の物理チャンネルのみが記憶されているので、ユーザーがデジタル放送の伝送されている物理チャンネルを受信可能になるように設定して、リモコンチャンネルに対応させる必要があった。
【００１３】
本発明の課題は、ユーザーが従来のアナログテレビとリモコンをいままでの使い勝手と変わらずに利用して、デジタル放送を視聴できるＲＦ変換装置、ＲＦ変換方法を提供することである。
また、本発明の第２の課題は、ユーザーの設定操作を簡易にすることができるＲＦ変換装置、ＲＦ変換方法を提供することである。
【課題を解決するための手段】
【００１４】
本発明の第１の側面としてのＲＦ変換装置は、アナログ放送の物理チャンネルとデジタル放送の物理チャンネルとを対応付ける物理チャンネル対応付け手段と、地域ごとのアナログ放送の物理チャンネルを記憶しておくアナログ地域コード記憶手段と、デジタル放送を受信するデジタル放送受信手段と、前記放送受信手段により受信したデジタル放送を復号する復号手段と、前記復号手段により復号された映像信号及び音声信号をアナログ放送形式の映像信号及び音声信号に変換する信号変換手段と、前記信号変換手段により変換されたアナログ放送形式の映像及び音声信号をアナログ放送の物理チャンネルに対応した周波数のアナログＲＦ信号に変換して出力するＲＦ出力手段とを備える。
【００１５】
本発明の第２の側面としてのＲＦ変換方法は、アナログ放送の物理チャンネルとデジタル放送の物理チャンネルとを対応付け、地域ごとのアナログ放送の物理チャンネルを記憶しておき、デジタル放送を受信し、受信したデジタル放送を復号し、復号された映像信号及び音声信号をアナログ放送形式の映像信号及び音声信号に変換し、変換されたアナログ放送形式の映像及び音声信号をアナログ放送の物理チャンネルに対応した周波数のアナログＲＦ信号に変換して出力することを特徴とする。
【発明の効果】
【００１６】
本発明によれば、ユーザーが従来のアナログテレビとリモコンをいままでの使い勝手と変わらずに利用して、デジタル放送を視聴することができる。
【発明を実施するための最良の形態】
【００１７】
以下、本発明を実施するための最良の形態について図面等を参照して説明する。
なお、以下の説明では、具体的な数値、構成、動作等を示して説明を行うが、これらは、適宜変更することができる。
【００１８】
（第１実施形態）
図１は、本発明によるＲＦ変換装置の第１実施形態を利用する形態を示す図である。
アンテナ１０１は、地上デジタル放送を受信し、受信したデジタル放送のＲＦ信号をＲＦ変換装置１０２へ伝える。
ＲＦ変換装置１０２は、アンテナ１０１を介してデジタルＲＦ信号を受信し、デジタルデコードを行った後に、アナログＲＦ信号に変調して出力する。
アナログテレビ１０３は、アナログ放送のみ受信可能な既存のアナログテレビである。アナログテレビ１０３は、ＲＦ変換装置１０２に接続されることにより、ＲＦ変換装置１０２から出力されるアナログＲＦ信号を入力して、テレビ放送を表示する。
【００１９】
アナログテレビリモコン（以下、Ａリモコン）１０４は、アナログテレビ１０３に付随するリモコン装置であり、赤外線を発光することにより、ユーザーの指示をアナログテレビ１０３に伝える。ここで、ユーザーの指示とはチャンネル選局や音量調整などを表している。また、リモコン（リモコン装置）とは、リモートコントローラー(remote controller)の略語であり、主装置（ここでは、アナログテレビ１０３）を遠隔操作する操作入力装置である。本実施形態のＡリモコン１０４は、上述したように赤外線を用いるものであるが、電波を用いるものであってもよい。
【００２０】
ＲＦ変換装置１０２は、Ａリモコン１０４が発光する赤外線信号を受光し、アナログテレビ１０３に選局指示されたチャンネルに合わせて、デジタル放送のチャンネルを選局し、アナログ放送のチャンネルに変換して出力する。
【００２１】
図２は、第１実施形態のＲＦ変換装置１０２の詳細を示したブロック図である。
本実施形態のＲＦ変換装置１０２は、受光部２０１、リモコンコード解析部２０２、アナログテレビ（以下、ＡＴＶ）リモコンコードテーブル２０３、デジタルアナログ変換テーブル２０４、アナログ地域コードテーブル２０５を備えている。また、ＲＦ変換装置１０２は、デジタルチューナ２０６、復号部２０７、ダウンコンバート部２０８、ＲＦ出力部２０９等を備えている。
【００２２】
受光部２０１は、リモコン信号を受光するリモコン受信手段である。受光部２０１は、Ａリモコン１０４が発光するリモコン信号を受光すると、電気信号に変換してリモコンコード解析部２０２へ伝える。
リモコンコード解析部２０２は、受光部２０１が受光したリモコン信号のリモコンコードを解析する。リモコンコード解析部２０２は、リモコンコードを解析するときに、後述のＡＴＶリモコンコードテーブル２０３を参照する。
【００２３】
ＡＴＶリモコンコードテーブル２０３は、複数種類のアナログテレビのリモコンコードを記憶しているリモコンコード記憶手段である。具体的には、アナログテレビの各メーカーのコードテーブルを格納している。
デジタルアナログ変換テーブル２０４は、アナログ放送の物理チャンネルとデジタル放送の物理チャンネルとを対応付ける物理チャンネル対応付け手段として機能する。
【００２４】
アナログ地域コードテーブル２０５は、地域ごとのアナログ放送の物理チャンネルを記憶しておくアナログ地域コード記憶手段として機能する。
デジタルチューナ２０６は、アンテナ１０１から入力されたデジタル放送のＲＦ信号を受信して復調を行うデジタル放送受信手段として機能する。
【００２５】
復号部２０７は、デジタルチューナ２０６により受信した圧縮されたデジタル放送を復号（デコード）し、ダウンコンバート部２０８へ伝えると共に、Ｄ端子へ出力する。
ダウンコンバート部２０８は、復号部２０７により復号された映像信号の画像のサイズをアナログ放送形式のサイズに縮小する変換を行う信号変換手段として機能する。また、復号部２０７により復号された音声信号についても、アナログ放送形式の音声信号に変換する。
【００２６】
ＲＦ出力部２０９は、ダウンコンバート部２０８により変換されたアナログ放送形式の映像及び音声信号をアナログ放送の物理チャンネルに対応した周波数のアナログＲＦ信号に変換（変調）して出力する。
【００２７】
次に、本実施形態のＲＦ変換装置の動作について説明する。
受光部２０１は、Ａリモコン１０４の信号を受けて、リモコンコード解析部２０２に信号を送る。ここで、リモコン信号とは一般的な赤外リモコン信号フォーマットの信号を表している。リモコン信号は、メーカーを表すカスタムコードと、コマンドを表すデータコードで構成されている。
【００２８】
リモコンコード解析部２０２は、送られてきたリモコン信号内のカスタムコードを抽出する。また、リモコンコード解析部２０２は、カスタムコードを引数として、ＡＴＶリモコンコードテーブル２０３を参照し、データコードを解析する。解析されたデータコードはＲＦ変換装置１０２内部のコマンド体系にしたがってコマンド変換されて出力される。
【００２９】
ここで、初期設定について説明する。
まず、ユーザーがアナログテレビ１０３に対して、初期設定としてアナログ地域コードを入力する。この操作は、一般的なアナログテレビ１０３に実装されている機能であり、リモコンチャンネルと物理チャンネルを関連付けるために行われる。
ユーザーによって入力されたアナログ地域コードは、リモコン信号としてＲＦ変換装置１０２にも送られ、リモコンコード解析部２０２によってコマンド変換される。
コマンド変換されたアナログ地域コードは、デジタルアナログ変換テーブル２０４とアナログ地域コードテーブル２０５に送られ、それぞれ地域コードが設定される。
【００３０】
次に、初期設定後の使用状態においてユーザーがチャンネル指示を出した場合の動作を説明する。
Ａリモコン１０４からは、ユーザーがリモコンチャンネルキーを押下することにより、チャンネル指示のリモコン信号が発信される。前述のように、チャンネル指示のリモコン信号もリモコンコード解析部２０２がコマンド変換して出力する。コマンド化されたリモコンチャンネルは、アナログ地域コードテーブル２０５に伝えられる。
【００３１】
アナログ地域コードテーブル２０５は、予め設定された地域コードにしたがって、リモコンチャンネルに対応したアナログ物理チャンネルを選択する。また、アナログ地域コードテーブル２０５は、アナログ物理チャンネル番号をデジタルアナログ変換テーブル２０４に伝える。さらに、アナログ地域コードテーブル２０５は、アナログ物理チャンネルに対応したアナログ物理チャンネル周波数設定をＲＦ出力部２０９に伝える。
【００３２】
デジタルアナログ変換テーブル２０４は、予め設定された地域コードにしたがって、アナログ物理チャンネル番号からデジタル物理チャンネルを選択する。また、デジタルアナログ変換テーブル２０４は、デジタル物理チャンネル番号を復号部２０７に伝える。さらに、デジタルアナログ変換テーブル２０４は、デジタル物理チャンネル番号に対応したデジタル物理チャンネル周波数設定をデジタルチューナ２０６に伝える。
【００３３】
デジタルチューナ２０６は、デジタル物理チャンネル周波数にしたがって同調を行い、選局する。さらに復調を行ってアンテナ１０１から入力されるＲＦ信号をＴＳ（transport stream）信号に変換する。デジタルチューナ２０６により変換されたＴＳ信号は、復号部２０７に入力される。
【００３４】
復号部２０７は、ＴＳ信号を復号して映像信号及び音声信号に変換する。ここでの映像信号は、一般的には、ＨＤＴＶ（High Definition Television）映像信号となる。デジタル放送には、ＳＤ（Standard Definition）も設定されていて、多重放送などで使用されているが利用頻度は高くない。復号部２０７で復号された映像信号及び音声信号は、Ｄ端子等を用いて外部へ出力される。
また、復号部２０７で復号された映像信号及び音声信号は、ダウンコンバート部２０８へ入力されて、ＮＴＳＣ信号に変換される。ＮＴＳＣ信号は、ＲＦ出力部２０９に入力される。
【００３５】
ＲＦ出力部２０９は、ＮＴＳＣ信号をアナログＲＦ信号に変調する。このときのＲＦ周波数は、アナログ地域コードテーブル２０５から伝えられるアナログ物理チャンネル周波数の設定値に合わせて設定される。
【００３６】
図３は、デジタルからアナログの物理チャンネルに変換する例を示す図である。
背景技術の項で説明したように地上デジタル放送は、ＯＦＤＭで変調されているので６ＭＨｚの帯域で信号が伝送されている。一方、地上アナログ放送は、６ＭＨｚの帯域内で映像信号と音声信号が異なる周波数で伝送されている。
図３に示すようにデジタルの物理チャンネルとアナログの物理チャンネルは、全く異なるチャンネルが設定されている。
図３では、アナログ放送が中継局によってＵＨＦ帯に変換されている地方の例を示している。ＶＨＦ帯で受信する地方ならばリモコンチャンネルと同じ１から１２のチャンネルがアナログ物理チャンネルとして設定される。
【００３７】
従来のアナログテレビには、地域ごとにリモコンチャンネルとアナログ物理チャンネルを結びつけて設定を行う自動チャンネル設定を行う機能が設けられているものが多い。
アナログテレビ１０３に対して地域設定を行うと、当該リモコン信号をＲＦ変換装置１０２でも受信する。
ＲＦ変換装置１０２は、アナログテレビ１０３に対して地域設定を行うときのリモコン信号を受信すると、アナログテレビ１０３の自動チャンネル設定された地域に合わせてアナログ物理チャンネルを設定する。
【００３８】
一方、デジタル放送も地域ごとに物理チャンネルが異なるので、地域設定にしたがってデジタル物理チャンネルを設定する。
デジタル放送とアナログ放送は、サイマルキャスト放送が行われていたので、同じ放送局の物理チャンネルが１対１で存在する。それぞれの物理チャンネル設定は、デジタルアナログ変換テーブル２０４に対応付けが記憶されている。
【００３９】
以上、説明したように、第１実施形態によれば、ユーザーは、従来のアナログテレビで使用していた、使い慣れたリモコンを用いて、従来と同じ選局操作を行うだけでデジタル放送を視聴することが可能となる。
【００４０】
（第２実施形態）
図４は、ＲＦ変換装置の第２実施形態を示したブロック図である。
なお、前述した第１実施形態と同様の機能を果たす部分には、同一の符号を付して、重複する説明を適宜省略する。
優先設定部４０１は、チャンネル設定の優先度を設定する。具体的には、優先設定部４０１は、アナログ放送の選局チャンネルを優先するか、デジタル放送の選局チャンネルを優先するかを切り換えて設定する。優先設定部４０１が設定した結果は、リモコンコード解析部２０２へ伝えられる。
【００４１】
アナログ放送とデジタル放送とでは、物理チャンネルだけではなく、リモコンチャンネルが異なっている場合がある。例えば、放送局Ｄのリモコンチャンネルがアナログ放送では、１０チャンネルだが、デジタル放送では、５チャンネル、という具合である。
優先設定部４０１は、例えば、スライドスイッチなどによって、デジタル放送優先／アナログ放送優先（又は、ＯＮ／ＯＦＦ）の設定を切り換える。優先設定部４０１によって設定されたデジタル放送優先／アナログ放送優先の設定は、リモコンコード解析部２０２に送られて、リモコンコード解析部２０２の選局動作を変化させる。
従来のアナログテレビの感覚になれていて１０チャンネルで放送局Ｄを視聴したい場合は、優先設定部４０１をアナログ放送優先（又は、ＯＦＦ）にしておけば、リモコン信号の１０チャンネル選局に対して放送局Ｄを選局する。
【００４２】
また、デジタルテレビの設定に合わせて５チャンネルで放送局Ｄを視聴したい場合は、優先設定部４０１をデジタル放送優先（又は、ＯＮ）にしておけば、リモコン信号の５チャンネル選局に対して放送局Ｄを選局する。
【００４３】
このように、第２実施形態の手法を用いれば、ユーザーの選局操作の好みによってリモコン操作に対する動作を変えることが可能となり、利便性を向上できる。
【００４４】
（第３実施形態）
図５は、ＲＦ変換装置の第３実施形態を示したブロック図である。
第３実施形態は、リモコンチャンネルの設定を、ＧＵＩ（Graphic User
Interface）上でカスタム設定可能にした形態である。
なお、前述した第２実施形態と同様の機能を果たす部分には、同一の符号を付して、重複する説明を適宜省略する。
【００４５】
第３実施形態では、第２実施形態における優先設定部４０１に代わりカスタム設定部５０１を備え、また、ダウンコンバート部２０８とＲＦ出力部２０９との間に合成部５０２を備えている。
カスタム設定部５０１は、リモコンチャンネル信号とアナログ放送の物理チャンネル番号との対応付けを、ユーザーによる指示にしたがい変更する。カスタム設定部５０１の設定内容は、リモコンコード解析部２０２へ送られる。また、カスタム設定部５０１は、リモコンチャンネルの設定を行うためのＧＵＩ画面を合成部５０２へ送る。
合成部５０２は、ダウンコンバート部２０８から送られた映像信号とカスタム設定部５０１から送られたＧＵＩ画面とを合成する。
【００４６】
次に、第２実施形態のＲＦ変換装置１０２の動作について説明する。
ＲＦ変換装置１０２用のリモコン（不図示）の特定キーを押下すると、リモコンコード解析部２０２から当該特定キーに対応する信号がカスタム設定部５０１に送られる。
カスタム設定部５０１は、リモコンチャンネルの設定を行うためのＧＵＩ画面を作成し、合成部５０２に送出する。
合成部５０２は、映像信号とＧＵＩ画面を合成し、ＲＦ出力部２０９に合成画像を出力する。
ユーザーは、ＧＵＩ画面を見ながらリモコンを操作してリモコンチャンネルの設定を行う。
【００４７】
リモコンチャンネルの設定を行うときには、自動チャンネル設定の設定値がＧＵＩで表示され、ユーザーが変更を行いたい値の部分にカーソルを移動させて、値を変更する。
ユーザーが設定した結果は、カスタム設定部５０１に保持される。カスタム設定部５０１は、リモコンコード解析部２０２に設定を行うことによって、リモコンコード解析部２０２のチャンネル設定を変えることができる。
【００４８】
このように、第３実施形態の手法を用いれば、ユーザーがアナログテレビのチャンネル設定を手動で調整した場合においても、本発明によるＲＦ変換装置を利用することができる。
【００４９】
（第４実施形態）
第４実施形態は、本発明によるＲＦ変換装置の機能をデジタルテレビに内包した形態である。
図６は、第４実施形態のデジタルテレビを利用する形態を示す図である。
なお、前述した第１実施形態と同様の機能を果たす部分には、同一の符号を付して、重複する説明を適宜省略する。
【００５０】
デジタルテレビ６０１は、デジタル放送を受信し、デコードしたデジタル画像を表示する。
Ｄリモコン６０２は、デジタルテレビ６０１用のリモコンであり、デジタルテレビ６０１の選局操作、音量調整などを行う。
また、デジタルテレビ６０１は、デジタル画像をアナログ画像に変換し、ＲＦ変調を行って出力する機能を備える。この出力をアナログＲＦ出力とする。アナログＲＦ出力は、アナログテレビ１０３のＲＦ入力端子に入力される。
Ａリモコン１０４は、アナログテレビ１０３の選局操作、音量調整などを行う。また、Ａリモコン１０４のリモコン信号は、デジタルテレビ６０１でも受信する。
デジタルテレビ６０１は、アナログテレビ１０３の選局操作に合わせて、アナログＲＦ出力を行う。
【００５１】
図７は、デジタルテレビ６０１のブロック図である。
なお、図７では、本発明に関する部分だけを簡略化して記載している。以下、第１実施形態の図２と異なる部分のみ説明する。
スプリッタ７０１は、デジタルＲＦ信号を受けて、そのデジタルＲＦ信号を第１のチューナ７０２及び第２のチューナ７０３に分配する。
Ｄリモコン６０２で選局操作を行われた場合は、第１のチューナ７０２、又は、第２のチューナ７０３で選局が行われて、復号部２０７を介して映像信号が表示装置７０４に送られ、映像が表示される。
【００５２】
一方、Ａリモコン１０４で選局操作が行われた場合は、第１のチューナ７０２、又は、第２のチューナ７０３で選局が行われて、復号部２０７及びダウンコンバート部２０８及びＲＦ出力部２０９を介して、アナログＲＦとして出力される。
二つのチューナ（７０２、７０３）のどちらを使用するかの調整は、調整部７０５で行われる。
一般に、リモコンコード解析部２０２、調整部７０５の機能は、不図示のマイコンで構成されソフトウェア処理されることが多い。
また、アナログテレビ１０３を利用していないときは、デジタルテレビ６０１で二つのチューナ（７０２、７０３）を利用することができ、二画面表示等のアプリケーションを利用することが可能となる。
【００５３】
このように、第４実施形態の手法を用いれば、デジタルテレビ６０１とアナログテレビ１０３の両方でデジタルチューナを共用するので、デジタル放送をデジタルテレビ６０１とアナログテレビ１０３の両方で視聴できる。
【００５４】
（変形形態）
以上説明した実施形態に限定されることなく、種々の変形や変更が可能であって、それらも本発明の範囲内である。
（１）第１実施形態から第３実施形態では、デジタルチューナをひとつ設けた例を挙げて説明した。これに限らず、例えば、複数のデジタルチューナを備えて、全てのチャンネルのＲＦ信号を同時出力してもよい。この場合、ＲＦ変換装置では、リモコン信号を受信する受信部（受光部）等を省略してもよい。また、一台のＲＦ変換装置により複数台のアナログテレビでデジタル放送を視聴できる。
【００５５】
（２）第４実施形態において、本発明のＲＦ変換装置をデジタルテレビに内包した例を説明したが、これに限らず、例えば、ハードディスクレコーダ装置等のデジタル放送録画機器に本発明のＲＦ変換装置を内包してもよい。
【００５６】
なお、第１実施形態から第４実施形態及び変形形態は、適宜組み合わせて用いることもできるが、詳細な説明は省略する。また、本発明は以上説明した各実施形態によって限定されることはない。
【図面の簡単な説明】
【００５７】
【図１】本発明によるＲＦ変換装置の第１実施形態を利用する形態を示す図である。
【図２】第１実施形態のＲＦ変換装置１０２の詳細を示したブロック図である。
【図３】デジタルからアナログの物理チャンネルに変換する例を示す図である。
【図４】ＲＦ変換装置の第２実施形態を示したブロック図である。
【図５】ＲＦ変換装置の第３実施形態を示したブロック図である。
【図６】第４実施形態のデジタルテレビを利用する形態を示す図である。
【図７】デジタルテレビ６０１のブロック図である。
【符号の説明】
【００５８】
１０１  アンテナ
１０２  ＲＦ変換装置
１０３  アナログテレビ
１０４  Ａリモコン
２０１  受光部
２０２  リモコンコード解析部
２０３  ＡＴＶリモコンコードテーブル
２０４  デジタルアナログ変換テーブル
２０５  アナログ地域コードテーブル
２０６  デジタルチューナ
２０７  復号部
２０８  ダウンコンバート部
２０９  ＲＦ出力部
４０１  優先設定部
５０１  優先設定部
５０２  合成部
６０１  デジタルテレビ
６０２  Ｄリモコン
７０１  スプリッタ
７０２  第１のデジタルチューナ
７０３  第２のデジタルチューナ
７０４  表示装置
７０５  調整部
【図１】
2010114707.tif 000003
【図２】
2010114707.tif 000004
【図３】
2010114707.tif 000005
【図４】
2010114707.tif 000006
【図５】
2010114707.tif 000007
【図６】
2010114707.tif 000008
【図７】
2010114707.tif 000009